(57)【要約】【課題】本発明は、従来の欠点を解消できる無線ブリッジ装置及びその無線通信システムを提供する。【解決手段】無線ブリッジ装置は、公衆交換電話網の電話機及び無線送受信機に対して無線通信を行うためのものであり、電話機の電話機本体に接続される第１の接続ポートと、電話機の受話器に接続される第２の接続ポートと、電話機本体から伝送された受話信号を無線送受信機に無線送信したり、無線送受信機から伝送された送話信号を無線受信して第１の接続ポートに伝送する第１の無線通信モジュールと、第１の無線通信モジュールと第１の接続ポートとの間に接続されており、受話信号を受信したか否かを判定し、受信したと判定する場合、第１の無線通信モジュールと無線送受信機との間の接続をできることによって、電話機と無線送受信機との間に音声信号を変換するための無線伝送を行う第１の音源処理モジュールと、を含む。【選択図】図１
2014155035.tif 000002
【特許請求の範囲】
【請求項１】
公衆交換電話網の電話機及び無線送受信機に対して無線通信を行うための無線ブリッジ装置であって、
前記電話機の電話機本体に接続される第１の接続ポートと、
前記電話機の受話器に接続される第２の接続ポートと、
前記電話機本体から伝送された受話信号を前記無線送受信機に無線送信すると共に、前記無線送受信機から伝送された送話信号を無線受信して前記第１の接続ポートに伝送する第１の無線通信モジュールと、
前記第１の無線通信モジュールと前記第１の接続ポートとの間に接続されており、前記受話信号を受信したか否かを判定し、受話信号を受信したと判定する場合、前記第１の無線通信モジュールと前記無線送受信機との間の接続をできることによって、前記電話機と前記無線送受信機との間に音声信号を変換するための無線伝送を行う第１の音源処理モジュールと、
を含むことを特徴とする無線ブリッジ装置。
【請求項２】
前記第１の音源処理モジュールは、前記第１の接続ポートを介して前記受話信号を受信した場合、前記受話信号に対して音声フォーマット変換を行って前記第１の無線通信モジュールを介して前記無線送受信機に出力することを特徴とする請求項１に記載の無線ブリッジ装置。
【請求項３】
前記第１の音源処理モジュールが前記受話信号を受信した後、前記第１の無線通信モジュールは、前記無線送受信機から伝送された前記送話信号を無線受信し、前記送話信号に対して音声フォーマット変換を行って前記第１の接続ポートに出力することを特徴とする請求項２に記載の無線ブリッジ装置。
【請求項４】
前記第１の音源処理モジュールは、前記受話信号を受信していないと判定する場合、前記第１の接続ポートとの間の接続及び前記第２の接続ポートとの間の接続を制御することを特徴とする請求項１〜３のいずれか１項に記載の無線ブリッジ装置。
【請求項５】
前記無線ブリッジ装置は、電力を前記第１の無線通信モジュールと前記第１の音源処理モジュールに供給するための第１の電源モジュールを含むことを特徴とする請求項１〜４のいずれか１項に記載の無線ブリッジ装置。
【請求項６】
前記第１の電源モジュールは、少なくとも一つの電池、少なくとも一つの充電電池、若しくは商用電源に外付けするための電源接続ポートであることを特徴とする請求項５に記載の無線ブリッジ装置。
【請求項７】
二つの電話受話器ケーブルを更に含み、
前記二つの電話受話器ケーブルの一つは前記第１の接続ポートと前記電話機本体に接続され、前記二つの電話受話器ケーブルのもう一つは前記第２の接続ポートと前記受話器に接続されることを特徴とする請求項１〜６のいずれか１項に記載の無線ブリッジ装置。
【請求項８】
送話信号を送受信するための無線送受信機と、
電話機本体から受話器へ伝送する受話信号を前記無線送受信機に無線送信すると共に、前記無線送受信機から出力された前記送話信号を無線受信して前記電話機本体に伝送するための請求項１〜７のいずれか１項に記載の無線ブリッジ装置と、
を含み、
前記無線送受信機は、前記受話信号を無線受信した場合、前記受話信号に対して音声再生を行うことを特徴とする無線通信システム。
【請求項９】
前記無線送受信機は、
前記送話信号を受信するための音声入力モジュールと、
前記受話信号を再生するための音声出力モジュールと、
前記送話信号を無線送信すると共に、前記受話信号を無線受信するための第２の無線通信モジュールと、
前記音声入力モジュール、前記音声出力モジュール及び前記第２の無線通信モジュールとの間に接続されており、前記音声入力モジュール、前記音声出力モジュール及び前記第２の無線通信モジュールとの間の伝送信号に対して音声信号変換を行うための第２の音源変換モジュールと、
を含むことを特徴とする請求項８に記載の無線通信システム。
【請求項１０】
前記無線送受信機は、電力を前記第２の無線通信モジュール、前記第２の音源変換モジュール、前記音声入力モジュール及び前記音声出力モジュールに供給するための第２の電源モジュールを含むことを特徴とする請求項９に記載の無線通信システム。
【発明の詳細な説明】
【技術分野】
【０００１】
本発明は、無線ブリッジ装置（Ｗｉｒｅｌｅｓｓ Ｂｒｉｄｇｅ Ｄｅｖｉｃｅ）及びその無線通信システムに関するものであり、特に公衆交換電話網（Ｐｕｂｌｉｃ Ｓｗｉｔｃｈｅｄ Ｔｅｌｅｐｈｏｎｅ Ｎｅｔｗｏｒｋｓ、ＰＳＴＮ）に電気的に接続される無線ブリッジ装置及びその無線通信システムに関するものである。
【背景技術】
【０００２】
公衆交換電話網は、その発展が既に約１３０年に達しているため、家、企業、機関、団体などへの設置も普及している。人々はよく公衆交換電話網を介して通信を行い、例えば市内電話を通じて通信を行う。公衆交換電話網の普及化に従い、その通信費用も安くなりつつある。
【０００３】
しかしながら、一般には、市内電話の設置は公衆交換電話網の設置地域に制限されているため、市内電話は家、企業、機関や団体などの場所における定められた位置のみにしか設置されていない。また、市内電話は受話器と電話機との間の電話受話器ケーブルの長さに制限されているため、人々が市内電話を使用する活動範囲も限られて市内電話の使用が不便になってしまう。
【発明の概要】
【発明が解決しようとする課題】
【０００４】
本発明は、従来の欠点を解消できる無線ブリッジ装置及びその無線通信システムを提供することを課題とする。
【課題を解決するための手段】
【０００５】
本発明に係る無線ブリッジ装置は、公衆交換電話網の電話機及び無線送受信機に対して無線通信を行うためのものである。無線ブリッジ装置は、第１の接続ポート、第２の接続ポート、第１の無線通信モジュール及び第１の音源処理モジュールを含む。第１の接続ポートは電話機の電話機本体に接続される。第２の接続ポートは電話機の受話器に接続される。第１の無線通信モジュールは、電話機本体から伝送された受話信号を無線送受信機に無線送信すると共に、無線送受信機から伝送された送話信号を無線受信して第１の接続ポートに伝送する。第１の音源処理モジュールは、第１の無線通信モジュールと第１の接続ポートとの間に接続されており、受話信号を受信したか否かを判定する。第１の音源処理モジュールは、受話信号を受信したと判定する場合、第１の無線通信モジュールと無線送受信機との間の接続をできることによって、電話機と無線送受信機との間に音声信号を変換するための無線伝送を行う。
【０００６】
本発明の実施例において、第１の音源処理モジュールは、第１の接続ポートを介して受話信号を受信した場合、受話信号に対して音声フォーマット変換を行って第１の無線通信モジュールを介して無線送受信機に出力する。
【０００７】
本発明の実施例において、第１の音源処理モジュールが受話信号を受信した後、第１の無線通信モジュールは、無線送受信機から伝送された送話信号を無線受信し、送話信号に対して音声フォーマット変換を行って第１の接続ポートに出力する。
【０００８】
本発明の実施例において、第１の音源処理モジュールは、受話信号を受信していないと判定する場合、第１の接続ポートとの間の接続及び第２の接続ポートとの間の接続を制御する。
【０００９】
本発明の実施例において、無線ブリッジ装置は、電力を第１の無線通信モジュールと第１の音源処理モジュールに供給するための第１の電源モジュールを含む。
【００１０】
本発明の実施例において、第１の電源モジュールは、少なくとも一つの電池、少なくとも一つの充電電池、若しくは商用電源に外付けするための電源接続ポートである。
【００１１】
本発明の実施例において、無線ブリッジ装置は二つの電話受話器ケーブルを更に含む。二つの電話受話器ケーブルの一つは第１の接続ポートと電話機本体に接続され、二つの電話受話器ケーブルのもう一つは第２の接続ポートと受話器に接続される。
【００１２】
本発明の実施例において、電話機は受話信号を受信することを待つように公衆交換電話網に繋がっている場合、信号を伝送するために第１の接続ポートと第２の接続ポートとの間の接続をできる。
【００１３】
本発明の実施例において、電話機は受話信号を受信することを待つように公衆交換電話網に繋がっている場合、第１の音源処理モジュールは、第１の接続ポートと第２の接続ポートとの間の信号伝送を起動する。
【００１４】
本発明に係る無線通信システムは、無線送受信機及び無線ブリッジ装置を含む。無線送受信機は送話信号を受信する。無線ブリッジ装置は、電話機本体から受話器へ伝送する受話信号を無線送受信機に無線送信したり、無線送受信機から出力された送話信号を無線受信して電話機本体に伝送したりする。無線送受信機は、受話信号を無線受信した場合、受話信号に対して音声再生を行う。
【００１５】
本発明の実施例において、無線送受信機は、音声入力モジュール、音声出力モジュール、第２の無線通信モジュール及び第２の音源変換モジュールを含む。音声入力モジュールは送話信号を受信するためのものである。音声出力モジュールは受話信号を再生するためのものである。第２の無線通信モジュールは、送話信号を無線送信したり受話信号を無線受信したりする。第２の音源変換モジュールは、音声入力モジュール、音声出力モジュール及び第２の無線通信モジュールとの間に接続されており、音声入力モジュール、音声出力モジュール及び第２の無線通信モジュールとの間の伝送信号に対して音声信号変換を行う。
【００１６】
本発明の実施例において、無線送受信機は、電力を第２の無線通信モジュール、第２の音源変換モジュール、音声入力モジュール及び音声出力モジュールに供給するための第２の電源モジュールを含む。
【００１７】
本発明の実施例において、第１の無線通信モジュールと第２の無線通信モジュールとの間には、ブルートゥース通信プロトコル、無線ＬＡＮ（Ｗｉｒｅｌｅｓｓ  ＬＡＮ）通信プロトコル、無線ＰＡＮ（Ｗｉｒｅｌｅｓｓ  ＰＡＮ）通信プロトコル、ワイヤレス・フィディリティー（Ｗｉｒｅｌｅｓｓ  Ｆｉｄｅｌｉｔｙ、ＷｉＦｉ）通信プロトコル、ＩＥＥＥ８０２．１１通信プロトコル或いはＺｉｇＢｅｅ（８０２．１５．４）通信プロトコルにより無線信号を伝送する。
【発明の効果】
【００１８】
本発明によれば、無線ブリッジ装置が一般の電話機本体と受話器との間に接続され、且つ、無線ブリッジ装置と無線送受信機との間には無線信号を伝送するようにしているため、無線ブリッジ装置により送話信号又は受話信号に対して信号処理を行って公衆交換電話網又は無線送受信機に伝送することができる。これにより、本発明は、ネットワーク又はセルラー無線基地局（ｃｅｌｌｕｌａｒ ｗｉｒｅｌｅｓｓ ｂａｓｅ ｓｔａｔｉｏｎ）及び交換機などのものを介する通話経路を省略することができるため、信号変換又は信号処理のプロセスを低減することができ、通話品質を向上することができる。
【図面の簡単な説明】
【００１９】
【図１】本発明の第１の実施例に係る無線通信システムの模式図を示すものである。
【図２】本発明の第２の実施例に係る無線通信システムの模式図を示すものである。
【図３】本発明の第３の実施例に係る無線通信システムの応用例の模式図を示すものである。
【図４】本発明の第４の実施例に係る無線通信システムの応用例の模式図を示すものである。
【発明を実施するための形態】
【００２０】
以下、本明細書と図面に開示された本発明の実施形態は、本発明の技術内容をより分かりやすく説明し、本発明の理解を助けるために実施例を挙げたものに過ぎず、本発明の範囲を限定するものではない。ここに開示された実施形態以外にも、本発明の技術的思想に基づく他の変形例も実施可能であることは、本発明の属する技術分野における当業者に自明なことである。
【実施例】
【００２１】
以下、図面を参照しながら本発明の実施例を説明する。図面において、同じ符号は同じ素子又は類似の素子を表す。
【００２２】
（第１の実施例）
図１は、本発明の第１の実施例に係る無線通信システムの模式図を示すものである。図１に示すように、無線通信システム１は、無線送受信機１０及び無線ブリッジ装置１２を含む。実際の応用において、本発明に係る無線通信システム１は家、企業、学校、機関や団体などの場所に設置される。また、ユーザーは、無線通信システム１を介して無線通信、三者通話（ｔｈｒｅｅ―ｗａｙ ｃａｌｌｉｎｇ）若しくは多者通話（ｃｏｎｆｅｒｅｎｃｅ ｃａｌｌｉｎｇ）を行うことができる。要するに、本実施例において、無線通信システム１の応用方式については特に制限がない。
【００２３】
無線送受信機１０は送話信号を受信する。無線送受信機１０は、例えば携帯電話、スマートフォン、ノートブック、タブレットパーソナルコンピューター（Ｔａｂｌｅｔ Ｐｅｒｓｏｎａｌ Ｃｏｍｐｕｔｅｒ）、パーソナル・デジタル・アシスタント（ＰＤＡ）などのものであってもよいが、特に制限がない。例を挙げて説明すると、ユーザーが無線送受信機１０を介して通話を行う場合、無線送受信機１０は送話信号を受信して無線ブリッジ装置１２に無線伝送する。
【００２４】
無線ブリッジ装置１２は、公衆交換電話網９の電話機１４に接続される。具体的に言えば、無線ブリッジ装置１２は、電話機１４の電話機本体１４２と受話器１４４との間に接続されており、電話機本体１４２から受話器１４４へ伝送する受話信号を無線送受信機１０に無線送信したり、無線送受信機１０が無線送信した送話信号を無線受信して電話機本体１４２に伝送したりする。
【００２５】
実際の応用において、無線送受信機１０は、無線ブリッジ装置１２を介して送話信号を公衆交換電話網９の電話機１４に伝送する一方、公衆交換電話網９の電話機１４は無線ブリッジ装置１２を介して受話信号を無線送受信機１０に伝送する。これにより、送話信号又は受話信号は無線ブリッジ装置１２を介して公衆交換電話網９の電話機１４又は無線送受信機１０に伝送する。
【００２６】
無線送受信機１０は、送話信号を送受信する他、受話信号を無線受信した場合、受話信号を音声再生する。
【００２７】
例を挙げて説明すると、ユーザーが携帯電話を介して市内電話をかける場合、携帯電話がユーザーによる送話信号を受信した時、携帯電話はセルラー無線基地局を介して送話信号を交換機に伝送してから、交換機により公衆交換電話網９を介して送話信号を市内電話に伝送する必要がある。これにより、送話信号がセルラー無線基地局及び交換機を介して信号処理されるため、携帯電話と市内電話の品質を低減すると共に、携帯電話と市内電話の通信費用を増加するという欠点がある。
【００２８】
一方、本発明によれば、無線通信システム１は無線ブリッジ装置１２を介して無線送受信機１０に送話信号を受信させるため、送話信号は、セルラー無線基地局及び交換機を介して信号処理されるような伝送経路を経由することなく、無線ブリッジ装置１２を介して公衆交換電話網９に直接に伝送されることができる。同じように、公衆交換電話網９は受話信号を電話機１４に伝送して、電話機１４は無線ブリッジ装置１２を介して受話信号を無線送受信機１０に伝送するため、携帯電話と公衆交換電話網９との通信伝送経路を省略することができる。これにより、携帯電話と市内電話との通話品質を向上すると共に、通話費用を低減することができる。
【００２９】
上述したように、本発明によれば、無線ブリッジ装置１２が電話機本体１４２と受話器１４４との間に接続され、且つ、無線ブリッジ装置１２と無線送受信機１０との間には無線信号を伝送するようにしているため、無線ブリッジ装置１２から伝送された送話信号若しくは電話機本体１４２から伝送された受話信号は無線ブリッジ装置１２を介して信号処理を行って公衆交換電話網９又は無線送受信機１０に伝送することができる。これにより、本発明は、ネットワーク又はセルラー無線基地局及び交換機などの通話経路を省略することができるため、信号変換又は信号処理のプロセスを低減することができ、通話品質を向上することができる。
【００３０】
（第２実施例）
図２は、本発明の第２の実施例に係る無線通信システムの模式図を示すものである。図２に示すように、無線ブリッジ装置２２は、第１の接続ポート２２２、第２の接続ポート２２４、第１の無線通信モジュール２２６及び第１の音源処理モジュール２２８を含む。実際の応用において、第１の接続ポート２２２は電話機本体２４２に接続され、第２の接続ポート２２４は受話器２４４に接続される。本実施例において、第１の接続ポート２２２と第２の接続ポート２２４は例えばＲＪ−１１などの一般的な電話接続ポートであってもよいが、これに限定されるものではない。
【００３１】
第１の無線通信モジュール２２６は第１の音源処理モジュール２２８に接続される。第１の無線通信モジュール２２６は、例えばブルートゥース通信送受信機、無線ＬＡＮ通信送受信機、無線ＰＡＮ通信送受信機、ワイヤレス・フィディリティー通信送受信機、ＩＥＥＥ８０２．１１通信送受信機或いはＺｉｇＢｅｅ（８０２．１５．４）通信送受信機であってもよいが、これに限定されるものではない。また、第１の無線通信モジュール２２６は受話信号を無線送信したり送話信号を無線受信したりすることができる。
【００３２】
第１の音源処理モジュール２２８は、第１の無線通信モジュール２２６と第１の接続ポート２２２との間に接続されており、第１の接続ポート２２２と第１の無線通信モジュール２２６との間の伝送信号に対して音声フォーマット変換を行う。実際の応用において、第１の音源処理モジュール２２８は、アナログ音声信号をデジタル音声信号に変換したり、デジタル音声信号をアナログ音声信号に変換したりすることによって、音声信号の変換を行うことができる。
【００３３】
詳しく説明すると、第１の音源処理モジュール２２８は、受話信号を受信したか否かを判定し、受話信号を受信したと判定した場合、第１の無線通信モジュール２２６と無線送受信機２０との間の接続をできることによって、電話機２４と無線送受信機２０との間に音声信号を変換するための無線伝送を行う。
【００３４】
実際の応用において、第１の音源処理モジュール２２８は、第１の接続ポート２２２を介して受話信号を受信した場合、受話信号に対して音声フォーマット変換を行ってから、第１の無線通信モジュール２２６を介して無線送受信機２０に出力する。第１の音源処理モジュール２２８が受話信号を受信した後、第１の無線通信モジュール２２６は、無線送受信機２０から伝送された送話信号を無線受信し、送話信号に対して音声フォーマット変換を行ってから第１の接続ポート２２２に出力する。また、第１の音源処理モジュール２２８は、受話信号を受信していないと判定した場合、第１の接続ポート２２２との接続及び第２の接続ポート２２４との接続を制御する。
【００３５】
続いて、第１の音源処理モジュール２２８は、第１の接続ポート２２２と第１の無線通信モジュール２２６との間の伝送信号に対して音声信号変換を行う。第１の音源処理モジュール２２８が受話信号を受信した後、第１の無線通信モジュール２２６は、電話機本体２４２から伝送された受話信号を無線送信し、無線送受信機２０から伝送された送話信号を無線受信する。第１の音源処理モジュール２２８は、受話信号を受信したか否かを判定し、受話信号を受信していないと判定した場合、第１の接続ポート２２２との接続及び第２の接続ポート２２４との接続をできることによって、発信信号又は呼出信号を伝送する。
【００３６】
実際の応用において、第１の音源処理モジュール２２８は、第１の接続ポート２２２と第２の接続ポート２２４との間の信号伝送を起動することによって、第１の接続ポート２２２と第２の接続ポート２２４との間に信号を伝送することができる。一方、第１の音源処理モジュール２２８は、第１の接続ポート２２２と第２の接続ポート２２４の間の信号伝送を停止することによって、第１の接続ポート２２２と第２の接続ポート２２４との間の信号伝送が不能になる。これにより、第１の音源処理モジュール２２８は、第１の接続ポート２２２と第１の無線通信モジュール２２６との間の伝送信号に対して音声信号変換を行うことができる。
【００３７】
具体的に言えば、第１の音源処理モジュール２２８の初期設定は、ユーザーが電話機本体２４２により電話を掛けると共に受話器２４４を介して発信音や相手側の電話機の呼出音が聞こえるように第１の接続ポート２２２と第２の接続ポート２２４との間の信号伝送を起動するためのものである。また、相手側が電話に出ない場合、双方間の通話接続ができていないため、第１の音源処理モジュール２２８は、受話信号を受信していないと判定し、第１の接続ポート２２２と第２の接続ポート２２４との間の信号伝送を維持する。
【００３８】
一方、相手側が電話に出た場合、双方間の通話接続ができているため、第１の音源処理モジュール２２８は、受話信号を受信したと判定する。すると、電話機２４は公衆交換電話網９に繋がって受話信号を受信し、第１の音源処理モジュール２２８は、第１の接続ポート２２２と第２の接続ポート２２４との間の信号伝送を停止すると共に、第１の接続ポート２２２と第１の無線通信モジュール２２６との間の信号伝送を起動する。これにより、ユーザーは、無線送受信機２０を介して無線ブリッジ装置２２との無線通信を行うことができる。
【００３９】
例を挙げて説明すると、Ａ使用者は公衆交換電話網９に接続される電話機２４によりＢ使用者に対して電話をかけ、且つ、公衆交換電話網９に接続される相手側電話機に対するＢ使用者は電話に出ていない場合、第１の音源処理モジュール２２８は依然として第１の接続ポート２２２と第２の接続ポート２２２との間の伝送信号を維持するため、Ａ使用者は受話器２４４を介してＢ使用者の電話機の呼出音が聞こえる。一方、Ｂ使用者が電話に出た場合、第１の音源処理モジュール２２８は、受話信号を受信したと判定し、第１の接続ポート２２２と第２の接続ポート２２４との間の伝送信号を停止することによって、第１の接続ポート２２２と第１無線通信モジュール２２６との間の伝送信号に対して音声信号変換を行うことができる。これにより、無線送受信機２０により公衆交換電話網９の電話機本体２４に電気的に接続される無線ブリッジ装置２２に無線接続することによって、Ａ使用者とＢ使用者は無線通信を行うことができる。
【００４０】
無線送受信機２０から伝送された送話信号は第１の無線通信モジュール２２６により無線受信された後、第１の音源処理モジュール２２８で処理されるため、当該送話信号は公衆交換電話網９のプロトコルに符合する。続いて、送話信号は第１の音源処理モジュール２２８により第１の接続ポート２２２に伝送され、第１の接続ポート２２２を介して電話機本体２４２に伝送され、電話機本体２４２を介して公衆交換電話網９に伝送される。これにより、無線送受信機２０は無線ブリッジ装置２２を介して公衆交換電話網９に接続することによって、通信を行うことができる。
【００４１】
同様に、公衆交換電話網９から伝送された受話信号は、電話機本体２４２を介して第１の接続ポート２２２に伝送され、第１の音源処理モジュール２２８で処理されるため、当該受話信号はブルートゥース通信プロトコル、無線ＬＡＮ通信プロトコル、無線ＰＡＮ通信プロトコル、ワイヤレス・フィディリティー通信プロトコル、ＩＥＥＥ８０２．１１通信プロトコル或いはＺｉｇＢｅｅ（８０２．１５．４）通信プロトコルに符合する。続いて、当該受話信号は、第１の音源処理モジュール２２８を介して第１の無線通信モジュール２２６に伝送され、第１の無線通信モジュール２２６を介して無線送受信機２０に伝送される。これにより、公衆交換電話網９に接続される電話機２４は無線ブリッジ装置２２を介して無線送受信機２０に接続されることによって、双方間の通信を行うことができる。
【００４２】
無線送受信機２０は、音声入力モジュール２０２、音声出力モジュール２０４、第２の無線通信モジュール２０６及び第２の音源変換モジュール２０８を含む。実際の応用において、第２の無線通信モジュール２０６は、例えばブルートゥース通信送受信機、無線ＬＡＮ通信送受信機、無線ＰＡＮ通信送受信機、ワイヤレス・フィディリティー通信送受信機、ＩＥＥＥ８０２．１１通信送受信機或いはＺｉｇＢｅｅ（８０２．１５．４）通信送受信機であってもよいが、これに限定されるものではない。
【００４３】
第２の無線通信モジュール２０６は送話信号を無線送信したり受話信号を無線受信したりすることができる。第１の無線通信モジュール２２６と第２の無線通信モジュール２０６との間には、ブルートゥース通信プロトコル、無線ＬＡＮ通信プロトコル、無線ＰＡＮ通信プロトコル、ワイヤレス・フィディリティー通信プロトコル、ＩＥＥＥ８０２．１１通信プロトコル或いはＺｉｇＢｅｅ（８０２．１５．４）通信プロトコルにより無線信号を伝送する。
【００４４】
第２の音源変換モジュール２０８は、音声入力モジュール２０２、音声出力モジュール２０４及び第２の無線通信モジュール２０６との間に接続されており、音声入力モジュール２０２、音声出力モジュール２０４及び第２の無線通信モジュール２０６との間の伝送信号に対して音声信号変換を行う。実際の応用において、第２の音源変換モジュール２０８は、音声信号変換を行うようにアナログ音声信号をデジタル音声信号に変換したりデジタル音声信号をアナログ音声信号に変換したりする。音声入力モジュール２０２は、例えば送話信号を受信するためのマイクロフォンなどである。音声出力モジュール２０４は、例えば受話信号を再生するためのスピーカーなどである。
【００４５】
また、本実施例において、電話機２４における回路、ソフトウェアやハードウェアのデザインを変更することなく、無線ブリッジ装置２２を電話機本体２４２と受話器２４４との間に直接に接続するため、ユーザーは、電話機２４により電話をかけ、公衆交換電話網９の両端には通信接続をできた後、無線送受信機２０を介して無線ブリッジ装置２２に無線接続することによって、無線通信を行うことを実現することができる。また、他の実施例において、ユーザーが直接に無線送受信機２０により電話をかけて無線ブリッジ装置２２に無線接続するように、電話機２４における回路、ソフトウェアやハードウェアのデザインを変更することによって無線通信を実現するようにしてもよい。要するに、本発明において、無線通信システム２の実施態様については特に制限がない。
【００４６】
また、本実施例において、第１の音源処理モジュール２２８は、受話信号を受信したか否かを判定することによって、第１の接続ポート２２２と第２の接続ポート２２４との間の信号伝送を起動したり、第２の接続ポート２２２と第１の無線通信モジュール２２６との間の信号伝送を停止したりする。一方、他の実施例において、第１の音源処理モジュール２２８は、受話信号を受信したか否かを判定することによって、第１の接続ポート２２２と第２の接続ポート２２４との間の信号伝送を起動すると共に第１の接続ポート２２２と第１の無線通信モジュール２２６との間の信号伝送を起動したりするようにしてもよく、第１の接続ポート２２２と第１の無線通信モジュール２２６との間の信号伝送のみを起動するようにしてもよい。
【００４７】
また、第１の接続ポート２２２と第２の接続ポート２２４との間の起動や停止、及び第１の接続ポート２２２と第１の無線通信モジュール２２６との間の起動や停止は、制御スイッチ（図示せず）若しくは制御回路（図示せず）で実現してもよい。この場合、制御スイッチ（図示せず）若しくは制御回路（図示せず）は、受話信号を受信したか否かを判定することによって、第１の接続ポート２２２と第２の接続ポート２２４との間の伝送信号を起動又は停止したり、第１の接続ポート２２２と第１の無線通信モジュール２２６との間の伝送信号を起動又は停止したりするようにしてもよい。要するに、本発明において、第１の音源処理モジュール２２８が第１の接続ポート２２２と第２の接続ポート２２４との間の伝送信号を起動又は停止したり第１の接続ポート２２２と第１の無線通信モジュール２２６との間の伝送信号を起動又は停止したりするなどの実施態様については特に制限がない。
【００４８】
また、無線通信システム２は二つの電話受話器ケーブル２６ａ、２６ｂを更に含む。電話受話器ケーブル２６ａは第１の接続ポート２２２と電話機本体２４２との間に接続され、電話受話器ケーブル２６ｂは第２の接続ポート２２４と受話器２４４との間に接続される。実際の応用において、電話受話器ケーブル２６ａ、２６ｂは例えばＲＪ−１１型の電話受話器ケーブルなどである。本発明において、電話機２４を改造することなく、ユーザーは電話受話器ケーブル２６ａ、２６ｂを電話機２４と無線ブリッジ装置２２にそれぞれ挿設すれば、本発明の上述した効果を奏することができる。
【００４９】
無線ブリッジ装置２２は、電力を第１の無線通信モジュール２２６と第１の音源処理モジュール２２８にそれぞれ供給するための第１の電源モジュール２３０を更に含む。第１の電源モジュール２３０は、例えば少なくとも一つの電池、少なくとも一つの充電電池、若しくは商用電源に外付けするための電源接続ポートなどであってもよいが、特に制限がない。
【００５０】
同様に、無線送受信機２０は、電力を第２の無線通信モジュール２０６、第２の音源変換モジュール２０８、音声入力モジュール２０２及び音声出力モジュール２０４にそれぞれ供給するための第２の電源モジュール２１０を更に含む。第２の電源モジュール２１０は、例えば少なくとも一つの電池、少なくとも一つの充電電池、若しくは商用電源に外付けするための電源接続ポートなどであってもよいが、特に制限がない。
【００５１】
（第３の実施例）
図３は、本発明の第３の実施例に係る無線通信システムの応用例の模式図を示すものである。図３に示すように、公衆交換電話網９の任意な両端にある使用者側には無線通信システム３ａ、３ｂがそれぞれ設置されるため、双方間の使用者は無線通信を行うことができる。
【００５２】
例を挙げて説明する。Ａ企業が台湾の台北市にありＢ企業が台湾の台南市にある場合、Ａ企業が無線通信システム３ａにより台南市にあるＢ企業の電話機３４ｂの電話番号をかけて電話機３４ｂと電話機３４ａが繋がった場合、電話機３４ａは台南市にあるＢ企業の電話機３４ｂからの受話信号を無線ブリッジ装置３２ａに伝送することによって、無線送受信機３０ａは台南市にあるＢ企業の電話機３４ｂからの受話信号を再生することができる。同様に、無線ブリッジ装置３２ｂは台北市にあるＡ企業の電話機３４ａからの受話信号を無線送受信機３０ｂに伝送することによって、無線送受信機３０ｂは台北市にあるＡ企業の電話機３４ａからの受話信号を再生することができる。
【００５３】
上述から分かるように、Ａ企業とＢ企業は企業内部のどこでも無線通信を行うことができるため、信号を処理するための信号処理経路を縮めることができ、通信品質を向上することができ、通信費用を低減することができる。
【００５４】
また、第３の実施例の動作は第１の実施例の動作とは同じであるため、ここでその説明を省略する。
【００５５】
（第４の実施例）
図４は、本発明の第４の実施例に係る無線通信システムの応用例の模式図を示すものである。図４に示すように、公衆交換電話網９の一端にある使用者側には無線通信システム４が設置される。無線通信システム４は、三つの無線ブリッジ装置５２ａ、５２ｂ、５２ｃ及び無線送受信機５０ａを含む。無線ブリッジ装置５２ａ、５２ｂ、５２ｃは、電話機５４ａ、５４ｂ、５４ｃにそれぞれ接続されており、受話信号を無線送受信機５０ａにそれぞれ無線伝送する。無線送受信機５０ａは、無線ブリッジ装置５２ａ、５２ｂ、５２ｃから伝送された複数の受話信号を同時に伝送することができる。
【００５６】
また、他の実施例において、無線ブリッジ装置５２ａ、５２ｂ、５２ｃの数量は、二つ、四つ又はそれ以上であってもよく、無線送受信機５０ａの数量は二つ、四つ又はそれ以上であってもよい。要するに、本発明において、無線ブリッジ装置５２ａ、５２ｂ、５２ｃ及び無線送受信機５０ａの数量については特に制限がない。また、無線ブリッジ装置５２ａ、５２ｂ、５２ｃ及び無線送受信機５０ａの配置方式は、１対１、複数対１若しくは１対複数であってもよいが、無線通信システム４の実施態様については特に制限がない。
【００５７】
例を挙げて説明する。Ａ企業の担当者はＢ地区にある発明者、Ｃ地区にある発明者及びＤ地区にある発明者と同時に会議を行う場合、Ａ企業の担当者は無線通信システム４によりＢ地区、Ｃ地区及びＤ地区にある発明者側の電話機５５ａ、５５ｂ、５５ｃの電話番号をそれぞれかける。詳しく説明すると、例えば、電話機５４ａ、５４ｂ、５４ｃはＢ地区、Ｃ地区、Ｄ地区にある電話機５５ａ、５５ｂ、５５ｃにそれぞれ繋がってＢ地区、Ｃ地区、Ｄ地区から伝送された複数の受話信号を無線ブリッジ装置５２ａ、５２ｂ、５２ｃにそれぞれ伝送し、無線ブリッジ装置５２ａ、５２ｂ、５２ｃはＢ地区、Ｃ地区、Ｄ地区から伝送された複数の受話信号を無線送受信機５０ａに伝送する。これにより、Ａ企業の担当者は無線通信システム４により多者通話を行うことができる。
【００５８】
上述から分かるように、Ａ企業は企業内部のどこでも無線通信を行うことができるため、信号を処理するための信号処理経路を縮めることができ、通信品質を向上することができ、通信費用を低減することができる。
【００５９】
また、第４の実施例の動作は第１の実施例の動作とは同じであるため、ここでその説明を省略する。
【００６０】
纏めて言えば、本発明において、無線ブリッジ装置が公衆交換電話網の電話機の電話機本体と受話器との間に設置され、無線ブリッジ装置と無線送受信機との間には、ブルートゥース通信プロトコル、無線ＬＡＮ通信プロトコル、無線ＰＡＮ通信プロトコル、ワイヤレス・フィディリティー通信プロトコル、ＩＥＥＥ８０２．１１通信プロトコル或いはＺｉｇＢｅｅ（８０２．１５．４）通信プロトコルにより無線信号を伝送するようにしているため、送話信号又は受話信号は、無線ブリッジ装置における第１の音源処理モジュールで信号処理された後、公衆交換電話網又は無線送受信機に伝送される。
【００６１】
上述した実施例は、本発明の好ましい実施態様に過ぎず、本発明の実施の範囲を限定するものではなく、本発明の明細書及び図面内容に基づいてなされた均等な変更および付加は、いずれも本発明の特許請求の範囲内に含まれるものとする。
【符号の説明】
【００６２】
１、２、３ａ、３ｂ、４  無線通信システム
９  公衆交換電話網
１０、２０、３０ａ、３０ｂ、５０ａ  無線送受信機
２０２  音声入力モジュール
２０４  音声出力モジュール
２０６  第２の無線通信モジュール
２０８  第２の音源変換モジュール
２１０  第２の電源モジュール
１２、２２、３２ａ、３２ｂ、５２ａ、５２ｂ、５２ｃ  無線ブリッジ装置
２２２  第１の接続ポート
２２４  第２の接続ポート
２２６  第１の無線通信モジュール
２２８  第１の音源処理モジュール
２３０  第１の電源モジュール
１４、２４、３４ａ、３４ｂ、５４ａ、５４ｂ、５４ｃ、５５ａ、５５ｂ、５５ｃ  電話機
１４２、２４２、３４２ａ、３４２ｂ、５４２ａ、５４２ｂ、５４２ｃ  電話機本体
１４４、２４４、３４４ａ、３４４ｂ、５４４ａ、５４４ｂ、５４４ｃ  受話器
２６ａ、２６ｂ  電話受話器ケーブル
【図１】
2014155035.tif 000003
【図２】
2014155035.tif 000004
【図３】
2014155035.tif 000005
【図４】
2014155035.tif 000006